(57)【要約】【課題】基材と透明プラスチックフィルムの間に商品を保持して、商品を容器外部から可視とした容器、およびその製造方法を、安価に提供することを課題とする。【解決手段】基材と、透明プラスチックフィルムとを有し、該基材と、該プラスチックフィルムとの間の保持部に、商品を保持することのできる容器であって、該保持部の周縁は、該プラスチックフィルムが、該基材に熱接着されていることを特徴とする、少なくとも片側が透明な、容器である。【選択図】図１
2018108859.tif 000002
【特許請求の範囲】
【請求項１】
基材と、透明なプラスチックフィルムとを有し、
該基材と、該プラスチックフィルムとの間の保持部に、商品を保持することのできる容器であって、
該保持部の周縁は、該プラスチックフィルムが、該基材に熱接着されていることを特徴とする、少なくとも片側が透明な、容器。
【請求項２】
前記基材は、紙を材料とすることを特徴とする、請求項１に記載の容器。
【請求項３】
前記プラスチックフィルムは、延伸ポリプロピレンフィルム、もしくは延伸ポリエチレンテレフタレートフィルムからなることを特徴とする、請求項１または請求項２に記載の容器。
【請求項４】
前記プラスチックフィルムは、厚さが２０μｍ〜１００μｍであることを特徴とする、請求項１〜請求項３のいずれかに記載の容器。
【請求項５】
請求項１〜請求項４のいずれかに記載の、容器の製造方法であって、
基材と透明プラスチックフィルムとを用いて、熱板およびトリミング用打ち抜き刃を有し上下に作動する、プレス式箔押機によって製造することを特徴とする、容器の製造方法。
【発明の詳細な説明】
【技術分野】
【０００１】
本発明は、容器に関するものである。とくに、基材と透明プラスチックフィルムの間に商品を保持して、商品を容器外部から可視とした、容器およびその製造方法に関するものである。
【背景技術】
【０００２】
容器は、包装材料のひとつとして、古くから人間の生活に使われ、時代の推移とともに、変化、発展を遂げてきた。包装の基本機能である、内容物の保護、使用においての利便性、表示などによる情報機能はもとより、近年においては安全衛生性、環境適合性、経済性、生産適性などが求められている。
【０００３】
また小売や流通においての急激な変化にも対応して、店頭でのディスプレイ効果や、商品の訴求性を高めて消費者への購買意欲を促すなどの要素も重要になっている。
【０００４】
たとえば、商品を容器外部から目で見えるようにした、ブリスターパックと呼ばれる包装容器がある。これは紙の台紙と透明フィルムの間に商品を保持して商品を容器外部から可視とした容器であって、店頭で吊り下げ展示が可能である。
【０００５】
また省スペースの効果があり、さらに山積み展示に比べて、店頭での視認性が高く、消費者が直接手にとって実物を確認することができる特長を持つ。そのため、コンビニエンスストア、スーパーマーケット、デパート、もしくは一般の小売業などで、使われている。
【０００６】
ブリスターパックの特徴は、消費者が製品本体、製品仕様を包装状態のまま確認することができ、商品選択がしやすく、購入後も容易に持ち帰り、開封、廃棄が可能なことである。
【０００７】
一方でブリスターパックには、表側は全面が透明フィルムとなり見た目での差別化が難しく、表面のフィルムを成形加工するための金型や、台紙との熱圧着のための金型・木型など初期費用が高いという問題がある。
【０００８】
特許文献１には、ブリスターパックの提案がなされているが、初期費用や製造工程のコストについての改善を意図したものではなく、この問題は未解決のままである。
【０００９】
またブリスターパックに類似の包装材料には、たとえばシェルパック、シュリンク台紙と呼ばれるものもあるが、前者はパックするので凝った加工をしてもあまり効果が見られない、またパックを作るための金型などの初期費用が高いという問題がある。
【００１０】
あるいは、後者においては、製品が手詰めになるため小さいものはパックできない、また長時間シュリンクトンネルを通す必要があるため、熱に弱い製品への適用が困難であるという問題がある。
【先行技術文献】
【特許文献】
【００１１】
【特許文献１】実用新案公報平１−３６７７６号公報
【発明の概要】
【発明が解決しようとする課題】
【００１２】
本発明はかかる状況を鑑みてなされたものであり、基材と透明プラスチックフィルムの間に商品を保持して、商品を容器外部から可視とした容器、およびその製造方法を、安価に提供することを課題とする。
【課題を解決するための手段】
【００１３】
上記の課題を解決するための手段として、請求項１に記載の発明は、基材と、透明なプラスチックフィルムとを有し、
該基材と、該プラスチックフィルムとの間の保持部に、商品を保持することのできる容器であって、
該保持部の周縁は、該プラスチックフィルムが、該基材に熱接着されていることを特徴とする、少なくとも片側が透明な、容器である。
【００１４】
また、請求項２に記載の発明は、前記基材は、紙を材料とすることを特徴とする、請求項１に記載の容器である。
【００１５】
また、請求項３に記載の発明は、前記プラスチックフィルムは、延伸ポリプロピレンフィルム、もしくは延伸ポリエチレンテレフタレートフィルムからなることを特徴とする、請求項１または請求項２に記載の容器である。
【００１６】
また、請求項４に記載の発明は、前記プラスチックフィルムは、厚さが２０μｍ〜１００μｍであることを特徴とする、請求項１〜請求項３のいずれかに記載の容器である。
【００１７】
また、請求項５に記載の発明は、請求項１〜請求項４のいずれかに記載の、容器の製造方法であって、
基材と透明プラスチックフィルムとを用いて、熱板およびトリミング用打ち抜き刃を有し上下に作動する、プレス式箔押機によって製造することを特徴とする、容器の製造方法である。
【発明の効果】
【００１８】
本発明によれば、基材と透明プラスチックフィルムの間に商品を保持して、商品を容器外部から可視とした容器、およびその製造方法を、安価に提供することが可能である。
【００１９】
とくに請求項２に記載の発明によれば、紙と透明プラスチックフィルムの間に商品を保持して、商品を容器外部から可視とした容器を、より安価に提供することが可能である。また基材が紙であるために、紙の表面に印刷を施して、文字や画像を印刷することも容易であり、意匠性に優れた容器であることが可能である。
【００２０】
とくに請求項３に記載の発明によれば、基材と透明プラスチックフィルムの間に商品を保持して、商品を容器外部から可視とした容器を、より安価に提供することが可能である。
【００２１】
透明プラスチックとして、延伸ポリプロピレンフィルム、もしくは延伸ポリエチレンテレフタレートフィルムの汎用プラスチックフィルムを用いることによって、加工が容易であり、価格面でより安価な容器とすることが可能である。
【００２２】
とくに請求項４に記載の発明によれば、基材と透明プラスチックフィルムの間に商品を保持して、商品を容器外部から可視とした容器を、安価に提供することが可能である。
【００２３】
すなわちプラスチックフィルムの厚さを２０μｍ〜１００μｍの範囲とすることにより
、内容物の保護と容器のコストとの両立を図ることが可能である。またこの厚さの範囲であれば、加工性においても、最適な範囲である。
【００２４】
とくに請求項５に記載の発明によれば、基材と透明プラスチックフィルムの間に商品を保持して、商品を容器外部から可視とした容器の製造方法を、安価に提供することが可能である。
【００２５】
これは金型などの初期費用を発生させることがなく既存のプレス式箔押機を用いて行なうことができ、さらにプレスと同時に加熱接着、フィルム成型、フィルム周縁部トリミングを同時に行なうことができるために、容器のコストに直接影響を与える、安価な製造方法を提供することが可能である。
【図面の簡単な説明】
【００２６】
【図１】図１は本発明に係る容器の、一実施態様を説明するための、部分断面模式図である。
【図２】図２は、本発明に係る容器の製造方法のうち、加工前の状態を説明するための、部分断面模式図である。
【図３】図３は、本発明に係る容器の製造方法のうち、加工中の状態を説明するための、部分断面模式図である。
【発明を実施するための形態】
【００２７】
以下、本発明を図１〜図３を参照しながら、更に詳しい説明を加える。ただし本発明は、ここに示す例にのみ限定されるものではない。本発明は、請求項によって限定されるものである。
【００２８】
図１は本発明に係る容器の、一実施態様を説明するための、部分断面模式図である
本発明による容器（１０）は、基材（１）と、透明なプラスチックフィルム（５）とを有し、基材（１）と、プラスチックフィルム（５）との間の保持部（８）に、商品（４）を保持することのできる容器である。
【００２９】
保持部（８）は、基材（１）とは間隔をあけて、プラスチックフィルム（５）が基材側から膨らんだ形状であり、この間隙に商品（４）を保持することが可能である。また保持部（８）の周縁部は、熱接着部（６）であって、プラスチックフィルム（５）の基材側に設けられた接着剤層によって、基材（１）に熱接着されている。
【００３０】
基材（１）には、印刷インキ層（２）、マットニス層（３）を設けることができる。これらによって、容器（１０）は加飾され、意匠性が高められるとともに、収納された商品についての情報も表示することができる。
【００３１】
印刷インキ層（２）を設けるには、既存の印刷設備、印刷技術を用いればよく、たとえばオフセット印刷法、グラビア印刷法、シルクスクリーン印刷法、インクジェット印刷法などを用いることが可能である。
【００３２】
マットニス層（３）を設ける場合には、表面の光沢を押さえることが可能になり、印刷インキ層（２）の見易さや、高級感の演出などの効果がある。図１に示した例ではないが、マットニス層（３）に替えてグロスニス層とすることもでき、この場合には高光沢の表面が得られる。
【００３３】
基材（１）は材料を紙とすることができる。紙を用いる場合には印刷などの加工が容易であり、コスト面でも有利である。またミシン目加工も容易であり、この場合には商品（
４）の取出しなどにも利便性が高い。
【００３４】
また容器（１０）上部において、基材（１）に穴を開けることができ、店頭での展示の際には、容器（１０）を吊り下げることが可能になり、視認性を高め、手に取りやすくすることが可能である。
【００３５】
また、図１に示す例において、プラスチックフィルム（５）は透明であるため、容器（１０）の外側から矢印（９）の方向に向かって、収納された商品（４）を目で見ることができる。
【００３６】
プラスチックフィルム（５）には、たとえば延伸ポリプロピレンフィルム、もしくは延伸ポリエチレンテレフタレートフィルムを用いることができる。これらのフィルムを用いる場合には、透明性も高く、また接着材層を設けたりする際にも印刷、コーティング適性を有し、プレス式箔押機などによるプレス成型にも適性を有するため、好適に用いることができる。
【００３７】
プラスチックフィルム（５）は、厚さが２０μｍ〜１００μｍの範囲のものを用いることができる。我々は、鋭意検討を重ねた結果、この範囲の厚さであることによって、プラスチックフィルム（５）は一定の剛性を有し、内容物（４）の保護に有効であることを見出した。
【００３８】
また、プラスチックフィルム（５）の厚さが２０μｍ〜１００μｍの範囲であることによって、容器（１０）のコストとの両立を図ることも可能である。さらに、この厚さの範囲であれば、接着剤層のコーティングやプレス適性などの加工性においても、最適な範囲である。
【００３９】
図２は、本発明に係る容器の製造方法のうち、加工前の状態を説明するための、部分断面模式図である。
【００４０】
本発明による容器（１０）は、プレス式箔押機によって製造することができる。プレス式箔押機はプレス板（１１）に付帯して、熱接着部プレス板（１３）、打ち抜き刃（１２）を有する。
【００４１】
これら、プレス板（１１）、熱接着部プレス板（１３）、打ち抜き刃（１２）は、熱を与えられており、矢印（１４）の方向に下降することによって、プレスと同時に加熱接着、フィルム成型、フィルム周縁部トリミングを同時に行なうことができる。
【００４２】
また、プラスチックフィルム（５）の基材側には、接着剤層（７）が設けられており、プレスと同時に熱接着プレス板（１３）によって熱接着される。このときプラスチックフィルム（５）の成形も行なわれる。
【００４３】
熱接着は、熱接着プレス板（１３）の部分、すなわち商品（４）の保持部（８）の周縁部に限られ、その他の部分は打ち抜き刃（１２）でトリミングされ除去することができる。
【００４４】
図３は、本発明に係る容器の製造方法のうち、加工中の状態を説明するための、部分断面模式図である。
【００４５】
ここで示す例においては、容器（１０）を加工中の状態であって、プレスと同時に保持部周縁部の熱接着、フィルム成形、熱接着部のトリミングを同時に行なうことができるこ
とを示す例である。
【００４６】
とくに、プレス板（１１）、熱接着部プレス板（１３）が段差を有していることによって、フィルム成形が可能となり、商品（４）の保持部（８）の空隙を設けることが可能であり、商品（４）を容器（１０）に封入することができる。
【００４７】
この製造方法によれば、成形のための金型を用意する必要がなくまた、既存のプレス式箔押機を用いて行なうことができ、さらにプレスと同時に加熱接着、フィルム成型、フィルム周縁部トリミングを同時に行なうことができる。
【００４８】
すなわち、基材と透明プラスチックフィルムの間に商品を保持して、商品を容器外部から可視とした容器のコストに直接影響を与える、安価な製造方法を提供することが可能である。
【実施例】
【００４９】
以下本発明を、実施例によって更に具体的な説明を加える。ただし本発明は、ここに示す例にのみ限定されるものではない。本発明は、請求項によってのみ限定されるものである。
【００５０】
＜実施例＞
本発明による容器を作成した。
容器の部分断面模式図は、図１に示すとおりである。
【００５１】
（材料構成）
基材：紙を用いた。ＮＥＷ−ＤＶ  ３５０ｇ／ｍ２（北越製紙製）
印刷インキ：カルトンＸ（東洋インキ製造製）
プラスチックフィルム：延伸ポリプロピレンフィルム  厚さ４０μｍ。片面に接着剤層を設けた。
【００５２】
（製造工程）
印刷→打ち抜き→ムシリ→プレス式箔押機（商品パック）→完了。
【００５３】
（結果）
実施例によって作成した容器は、基材と透明プラスチックフィルムの間に商品を保持して、商品を容器外部から可視とした容器であることが確認できた。また、その製造工程は金型を必要とするものではなく、プレス式箔押機による商品パックが可能である。
【００５４】
すなわち、プレスと同時に加熱接着、フィルム成型、フィルム周縁部トリミングを同時に行なうことができるために、容器の製造コストに直接影響を与える、安価な製造方法を提供することが可能であることを検証することができた。
【００５５】
このように本発明によれば、基材と透明プラスチックフィルムの間に商品を保持して、商品を容器外部から可視とした容器、およびその製造方法を、安価に提供することが可能である。
【符号の説明】
【００５６】
１・・・基材
２・・・印刷インキ層
３・・・マットニス層
４・・・商品
５・・・プラスチックフィルム
６・・・熱接着部
７・・・接着剤層
８・・・保持部
９・・・矢印
１０・・・容器
１１・・・プレス板
１２・・・打ち抜き刃
１３・・・熱接着部プレス板
１４・・・矢印
【図１】
2018108859.tif 000003
【図２】
2018108859.tif 000004
【図３】
2018108859.tif 000005